(57)【要約】【課題】中継装置において、設置状況に応じたキャリブレーションを行う。【解決手段】対第１通信装置用のアンテナと対第２通信装置用のアンテナとを備え、第１通信装置と第２通信装置との間の通信を中継する中継装置は、無線信号を送受信する送受信手段と、疑似信号の送信電力を設定する送信電力制御手段と、設定された送信電力で前記アンテナの一方から疑似信号を送信させるともに、該送信された疑似信号をアンテナの他方に受信させる疑似信号伝送手段と、アンテナの他方で受信された疑似信号の受信電力を取得する受信電力取得手段と、設定された送信電力と取得された受信電力と基づく値が所定の条件を満たすか否かを判定する判定手段と、判定結果に応じて、送受信手段の異常を推定する推定手段と、推定に基づいて、送受信手段のキャリブレーションを実行する際の調整値を修正する修正手段と、を含む。【選択図】図２
2012074877.tif 000002
【特許請求の範囲】
【請求項１】
対第１通信装置用のアンテナと対第２通信装置用のアンテナとを備え、前記第１通信装置と前記第２通信装置との間の通信を中継する中継装置であって、
無線信号を送受信する送受信手段と、
疑似信号の送信電力を設定する送信電力制御手段と、
前記送信電力制御手段により設定された送信電力で前記アンテナの一方から疑似信号を送信させるともに、該送信された疑似信号を前記アンテナの他方に受信させる疑似信号伝送手段と、
前記アンテナの他方で受信された疑似信号の受信電力を取得する受信電力取得手段と、
前記送信電力制御手段により設定された送信電力と前記受信電力取得手段により取得された受信電力とに基づく値が所定の条件を満たすか否かを判定する判定手段と、
前記判定手段による判定結果に応じて、前記送受信手段の異常を推定する推定手段と、
前記推定手段による推定に基づいて、前記送受信手段のキャリブレーションを実行する際の調整値を修正する修正手段と、
を含むことを特徴とする中継装置。
【請求項２】
前記中継装置は、複数の対第１通信装置用のアンテナと、複数の対第２通信装置用のアンテナとを備える、
ことを特徴とする中継装置。
【請求項３】
前記送信電力制御手段は、
前記対第１通信装置用のアンテナ間で擬似信号を送受信させる際は、第１の送信電力を設定し、
前記対第１通信装置用のアンテナと前記対第２通信装置用のアンテナとの間で擬似信号を送受信させる際は、第２の送信電力を設定する、
ことを特徴とする請求項２に記載の中継装置。
【請求項４】
前記判定手段は、
前記擬似信号を受信させるアンテナに応じて、第１の閾値と、第２の閾値を設定しており、
前記擬似信号伝達手段が、前記対第１通信装置用のアンテナ間で擬似信号を送受信させる際は、前記第１の閾値以下となるか否かを前記所定条件とし、
前記擬似信号伝達手段が、前記対第１通信装置用のアンテナと前記対第２通信装置用のアンテナとの間で擬似信号を送受信させる際は、前記第２の閾値以下となるか否かを前記所定条件とする、
ことを特徴とする請求項２または３に記載の中継装置。
【請求項５】
対第１通信装置用のアンテナと対第２通信装置用のアンテナとを備え、前記第１通信装置と前記第２通信装置との間の通信を中継する中継装置のキャリブレーション方法であって、
疑似信号の送信電力を設定するステップと、
前記設定された送信電力で前記アンテナの一方から疑似信号を送信させるともに、該送信された疑似信号を前記アンテナの他方に受信させるステップと、
前記アンテナの他方で受信された疑似信号の受信電力を取得するステップと、
前記設定された送信電力と前記取得された受信電力と基づく値が所定の条件を満たすか否かを判定する判定ステップと、
前記判定ステップによる判定結果に応じて、送受信手段の異常を推定する推定ステップと、
前記推定ステップ手段による推定に基づいて、前記送受信手段のキャリブレーションを実行する際の調整値を修正する修正ステップと、
を含むことを特徴とするキャリブレーション方法。
【発明の詳細な説明】
【技術分野】
【０００１】
本発明は、中継装置およびキャリブレーション方法に関する。
【背景技術】
【０００２】
基地局が無線系を自己検査する方法として、キャリブレーションが知られている。キャリブレーションでは、まず、送信経路（ダウンリンク）から送信された疑似信号を自局の受信経路（アップリンク）で受信させる。そして、疑似信号の無線品質（例えば、送信出力や受信感度）から、通信経路の部品固体のばらつきや温度特性のばらつきによって生じる変化を検出し、製品出荷時に調整を行った際にメモリに記憶されたキャリブレーション調整値を利用して、同一レベルになるよう補正を行う。
【０００３】
たとえば、図５に示すように、送信アンテナと受信アンテナとを備える基地局では、送信アンテナからの無線出力を受信アンテナで取り込むことで無線品質を取得し、キャリブレーションを行う。
【０００４】
一方、図６に示すように、スイッチの切り替えによって送信アンテナおよび受信アンテナのいずれかとして選択的に用いられるアンテナを複数備える基地局では、一方のアンテナからの無線出力を他方のアンテナで取り込むことで無線品質を取得し、キャリブレーションを行う。
【先行技術文献】
【特許文献】
【０００５】
【特許文献１】特開２００１−５３６６２号公報
【発明の概要】
【発明が解決しようとする課題】
【０００６】
ところで、図７に示すように、たとえば基地局（第１通信装置の一例）と移動局（第２通信装置の一例）との間の通信を中継する中継装置（リピータ）は、基地局と無線通信を行うドナー部と、移動局と無線通信を行うサービス部と、を備えている。また、ドナー部を構成するドナーアンテナとサービス部を構成するサービスアンテナとの相互干渉を極力避けるため、両アンテナの間には一定のアイソレーションが確保されている。両アンテナの間にアイソレーションを確保するための方策としては、ドナーアンテナとサービスアンテナとの空間的距離を離すこと、などがある。
【０００７】
そのため、継装置の設置状況に応じて、擬似信号の送受信時における無線品質も異なるので、従来の基地局で行われているように、予め製品出荷時にメモリに記憶したキャリブレーション調整値を利用するだけでは、精度の高いキャリブレーションを実施することができない。
【０００８】
本発明は、上記課題に鑑みてなされたものであり、対第１通信装置用のアンテナと対第２通信装置用のアンテナとの間に確保されるアイソレーションを考慮したキャリブレーションを行うことができる中継装置およびキャリブレーション方法を提供することを目的とする。
【課題を解決するための手段】
【０００９】
上記課題を解決するために、本発明に係る中継装置は、対第１通信装置用のアンテナと対第２通信装置用のアンテナとを備え、前記第１通信装置と前記第２通信装置との間の通信を中継する中継装置であって、無線信号を送受信する送受信手段と、疑似信号の送信電力を設定する送信電力制御手段と、前記送信電力制御手段により設定された送信電力で前記アンテナの一方から疑似信号を送信させるともに、該送信された疑似信号を前記アンテナの他方に受信させる疑似信号伝送手段と、前記アンテナの他方で受信された疑似信号の受信電力を取得する受信電力取得手段と、前記送信電力制御手段により設定された送信電力と前記受信電力取得手段により取得された受信電力とに基づく値が所定の条件を満たすか否かを判定する判定手段と、前記判定手段による判定結果に応じて、前記送受信手段の異常を推定する推定手段と、前記推定手段による推定に基づいて、前記送受信手段のキャリブレーションを実行する際の調整値を修正する修正手段と、を含むことを特徴とする。
【００１０】
また、本発明の一態様では、前記中継装置は、複数の対第１通信装置用のアンテナと、複数の対第２通信装置用のアンテナとを備える。
【００１１】
また、本発明の一態様では、前記送信電力制御手段は、前記対第１通信装置用のアンテナ間で擬似信号を送受信させる際は、第１の送信電力を設定し、前記対第１通信装置用のアンテナと前記対第２通信装置用のアンテナとの間で擬似信号を送受信させる際は、第２の送信電力を設定する。
【００１２】
また、本発明の一態様では、前記判定手段は、前記擬似信号を受信させるアンテナに応じて、第１の閾値と、第２の閾値を設定しており、前記擬似信号伝達手段が、前記対第１通信装置用のアンテナ間で擬似信号を送受信させる際は、前記第１の閾値以下となるか否かを前記所定条件とし、前記擬似信号伝達手段が、前記対第１通信装置用のアンテナと前記対第２通信装置用のアンテナとの間で擬似信号を送受信させる際は、前記第２の閾値以下となるか否かを前記所定条件とする。
【００１３】
また、本発明に係る中継装置のキャリブレーション方法は、対第１通信装置用のアンテナと対第２通信装置用のアンテナとを備え、前記第１通信装置と前記第２通信装置との間の通信を中継する中継装置のキャリブレーション方法であって、疑似信号の送信電力を設定するステップと、前記設定された送信電力で前記アンテナの一方から疑似信号を送信させるともに、該送信された疑似信号を前記アンテナの他方に受信させるステップと、前記アンテナの他方で受信された疑似信号の受信電力を取得するステップと、前記設定された送信電力と前記取得された受信電力と基づく値が所定の条件を満たすか否かを判定する判定ステップと、前記判定ステップによる判定結果に応じて、送受信手段の異常を推定する推定ステップと、前記推定ステップ手段による推定に基づいて、前記送受信手段のキャリブレーションを実行する際の調整値を修正する修正ステップと、を含むことを特徴とする。
【発明の効果】
【００１４】
このため、本発明によれば、対第１通信装置用のアンテナと対第２通信装置用のアンテナとの間に確保されるアイソレーションを考慮したキャリブレーションを行うことができる。
【図面の簡単な説明】
【００１５】
【図１】本発明の実施形態に係る中継装置の構成を示す図である。
【図２】本実施形態に係る経路試験部の機能ブロック図である。
【図３】本実施形態に係る各判定部の判定結果を示す図である。
【図４】本実施形態に係る中継装置の経路試験処理の一例を示すフロー図である。
【図５】基地局の構成の一例を示す図である。
【図６】基地局の構成の他の例を示す図である。
【図７】中継装置の構成の一例を示す図である。
【発明を実施するための形態】
【００１６】
以下、本発明の一実施形態を図面に基づいて詳細に説明する。
【００１７】
本発明の実施形態に係る中継装置１０は、基地局からの電波が直接届きにくい場所（たとえば屋内や地下街など）に設置され、基地局と移動局との間の通信を中継する。
【００１８】
図１は、中継装置１０の構成を示す図である。図１に示すように、中継装置１０は、基地局（第１通信装置の一例）と無線通信を行うドナー部２０と、移動局（第２通信装置の一例）と無線通信を行うサービス部３０と、を含んで構成される。
【００１９】
ドナー部２０には、ドナーアンテナ２１，２６と、スイッチ２２，２７と、送信部２３，２８と、受信部２４，２９と、制御部２５と、が含まれる。
【００２０】
ドナーアンテナ２１は、対基地局用のアンテナであり、スイッチ２２を介して送信部２３および受信部２４のいずれかと選択的に接続される。ドナーアンテナ２１が送信部２３に接続されているとき、ドナーアンテナ２１は、送信部２３から供給される無線信号を基地局に対して送信する。一方、ドナーアンテナ２１が受信部２４に接続されているとき、ドナーアンテナ２１は、基地局から送信される無線信号を受信し、受信された無線信号を受信部２４に出力する。ドナーアンテナ２６は、対基地局用のアンテナであり、スイッチ２７を介して送信部２８および受信部２９のいずれかと選択的に接続される。ドナーアンテナ２６が送信部２８に接続されているとき、ドナーアンテナ２６は、送信部２８から供給される無線信号を基地局に対して送信する。一方、ドナーアンテナ２６が受信部２９に接続されているとき、ドナーアンテナ２６は、基地局から送信される無線信号を受信し、受信された無線信号を受信部２９に出力する。
【００２１】
スイッチ２２は、ドナーアンテナ２１に送信部２３および受信部２４のいずれかを選択的に接続するものである。スイッチ２７は、ドナーアンテナ２６に送信部２８および受信部２９のいずれかを選択的に接続するものである。
【００２２】
送信部２３，２８は、電力増幅器、周波数変換器、帯域通過フィルタ、およびＤ／Ａ変換器を含んで構成される。送信部２３，２８は、制御部２５から入力されるデジタル信号を、アナログ信号に変換した後、無線信号にアップコンバートし、電力増幅器で送信出力レベルまで増幅してから、送信部２３はスイッチ２２を介してドナーアンテナ２１に、送信部２８はスイッチ２７を介してドナーアンテナ２６に供給する。
【００２３】
受信部２４，２９は、低雑音増幅器、周波数変換器、帯域通過フィルタ、およびＡ／Ｄ変換器を含んで構成される。受信部２４は、スイッチ２２を介してドナーアンテナ２１から入力される無線信号を、低雑音増幅器で増幅した後、中間周波数信号にダウンコンバートし、さらにデジタル信号に変換してから、制御部２５に出力する。受信部２９は、スイッチ２７を介してドナーアンテナ２６から入力される無線信号を、低雑音増幅器で増幅した後、中間周波数信号にダウンコンバートし、さらにデジタル信号に変換してから、制御部２５に出力する。
【００２４】
制御部２５は、たとえばＣＰＵおよびＣＰＵの動作を制御するプログラムで構成される。本実施形態では、制御部２５が、後述するキャリブレーション部４０の一部として動作する。
【００２５】
また、サービス部３０にも同様に、サービスアンテナ３１，３６と、スイッチ３２，３７と、送信部３３，３８と、受信部３４，３９と、制御部３５と、が含まれる。
【００２６】
サービスアンテナ３１は、対移動局用のアンテナであり、スイッチ３２を介して送信部３３および受信部３４のいずれかと選択的に接続される。サービスアンテナ３１が送信部３３に接続されているとき、サービスアンテナ３１は、送信部３３から供給される無線信号を移動局に対して送信する。一方、サービスアンテナ３１が受信部３４に接続されているとき、サービスアンテナ３１は、移動局から送信される無線信号を受信し、受信された無線信号を受信部３４に出力する。サービスアンテナ３６は、対移動局用のアンテナであり、スイッチ３７を介して送信部３８および受信部３９のいずれかと選択的に接続される。サービスアンテナ３６が送信部３８に接続されているとき、サービスアンテナ３６は、送信部３８から供給される無線信号を移動局に対して送信する。一方、サービスアンテナ３６が受信部３９に接続されているとき、サービスアンテナ３６は、移動局から送信される無線信号を受信し、受信された無線信号を受信部３９に出力する。
【００２７】
スイッチ３２は、サービスアンテナ３１に送信部３３および受信部３４のいずれかを選択的に接続するものである。スイッチ３７は、サービスアンテナ３６に送信部３８および受信部３９のいずれかを選択的に接続するものである。
【００２８】
送信部３３，３８は、電力増幅器、周波数変換器、帯域通過フィルタ、およびＤ／Ａ変換器を含んで構成される。送信部３３は、制御部３５から入力されるデジタル信号を、アナログ信号に変換した後、無線信号にアップコンバートし、電力増幅器で送信出力レベルまで増幅してから、スイッチ３２を介してサービスアンテナ３１に供給する。送信部３８は、制御部３５から入力されるデジタル信号を、アナログ信号に変換した後、無線信号にアップコンバートし、電力増幅器で送信出力レベルまで増幅してから、スイッチ３７を介してサービスアンテナ３６に供給する。
【００２９】
受信部３４，３９は、低雑音増幅器、周波数変換器、帯域通過フィルタ、およびＡ／Ｄ変換器を含んで構成される。受信部３４は、スイッチ３２を介してサービスアンテナ３１から入力される無線信号を、低雑音増幅器で増幅した後、中間周波数信号にダウンコンバートし、さらにデジタル信号に変換してから、制御部３５に出力する。受信部３９は、スイッチ３７を介してサービスアンテナ３６から入力される無線信号を、低雑音増幅器で増幅した後、中間周波数信号にダウンコンバートし、さらにデジタル信号に変換してから、制御部３５に出力する。
【００３０】
制御部３５は、たとえばＣＰＵおよびＣＰＵの動作を制御するプログラムで構成される。本実施形態では、制御部３５が、後述するキャリブレーション部４０の一部として動作する。
【００３１】
なお、ドナーアンテナ２１，２６とサービスアンテナ３１，３６との間には、相互干渉を極力避けるために、一定のアイソレーションが確保される。このため、中継装置１０を設置する際、ドナー部２０と、サービス部３０とを、設置する場所の無線環境に応じた距離だけ離して設置する。よって、予め製品出荷時にメモリに記憶しておいたキャリブレーション調整値を利用する従来の基地局で行われているキャリブレーションでは、その補正量の精度が高くない場合がある。
【００３２】
そのため、本実施形態では、中継装置１０の設置時に、ます、その設置場所に最適なキャリブレーション調整値を設定し、メモリ（図示しない）に記憶しておく。そして、設置場所の環境の変化に応じて、メモリに記憶しているキャリブレーション調整値を、さらに修正を行うようにする。そのため、中継装置１０のキャリブレーションでは、制御部２５および制御部３５の少なくとも一方（ここでは双方とする）により実現されるキャリブレーション部４０が、ドナーアンテナ２１、ドナーアンテナ２６、サービスアンテナ３１、および、サービスアンテナ３６のいずれかから送信された疑似信号が他のいずれかのアンテナで受信された疑似信号の無線品質（例えば、ＲＳＳＩ）に基づいて、キャリブレーション調整値の修正を行うか否かを判断する。
【００３３】
以下では、上記処理を実現するために、キャリブレーションを実行するキャリブレーション部４０が備える機能的構成について具体的に説明する。
【００３４】
図２は、キャリブレーション部４０の機能ブロック図である。図２に示すように、経路試験部４０は、伝送経路設定部４１、送信電力制御部４２、受信電力取得部４３、送信電力制御部４４、受信電力取得部４５、送信電力制御部４６、受信電力取得部４７、送信電力制御部４８、受信電力取得部４９、第１判定部５０、第２判定部５１、第３判定部５２、第２判定部５３、および状態推定部５４を含んで構成される。
【００３５】
伝送経路設定部４１は、送受される疑似信号の伝送経路を設定し、擬似信号を生成したうえで当該擬似信号を送受信させる。具体的には、伝送経路設定部４１が、ドナーアンテナ２１、ドナーアンテナ２６、サービスアンテナ３１、サービスアンテナ３６のいずれか１つを送信アンテナとし、残りのアンテナのうち１つを受信アンテナとして設定する。例えば、ドナーアンテナ２１が送信アンテナ、サービスアンテナ３１が受信アンテナとして設定された場合、疑似信号の伝送経路は、キャリブレーション部４０を起点として、送信部２３、スイッチ２２、ドナーアンテナ２１（ここまでが送信経路）、サービスアンテナ３１、スイッチ３２、受信部３４（ここまでが受信経路）を順次通過し、最後にキャリブレーション部４０に帰還する経路となる。また、例えば、サービスアンテナ３１が送信アンテナ、ドナーアンテナ２１が受信アンテナとして設定された場合、疑似信号の伝送経路は、キャリブレーション部４０を起点として、送信部３３、スイッチ３２、サービスアンテナ３１（ここまでが送信経路）、ドナーアンテナ２１、スイッチ２２、受信部２４（ここまでが受信経路）を順次通過し、最後にキャリブレーション部４０に帰還する経路となる。なお、疑似信号は、予め定められた既知の信号でもよいし、所定のアルゴリズムに従って生成される信号でもよいし、ランダムに生成される信号であってもよいが、実際に送信される通信信号に近い特性を有する信号である方が望ましい。
【００３６】
送信電力制御部４２は、伝送経路設定部４１が、サービス部３０のサービスアンテナ３１，３６の一方を送信アンテナとし、他方を受信アンテナとして設定した際に送信される擬似信号の送信電力を設定し、第１判定部５０に出力する。
【００３７】
送信電力制御部４４は、伝送経路設定部４１が、サービス部３０のサービスアンテナ３１，３６のいずれかを送信アンテナとし、ドナー部２０のドナーアンテナ２１，２６のいずれかを受信アンテナとして設定した際に送信される擬似信号の送信電力を設定し、第２判定部５１に出力する。
【００３８】
送信電力制御部４６は、伝送経路設定部４１が、ドナー部２０のドナーアンテナ２１，２６の一方を送信アンテナとし、他方を受信アンテナとして設定した際に送信される擬似信号の送信電力を設定し、第３判定部５２に出力する。
【００３９】
送信電力制御部４８は、伝送経路設定部４１が、ドナー部３０のドナーアンテナ２１，２６のいずれかを送信アンテナとし、サービス部３０のドナーアンテナ３１，３６のいずれかを受信アンテナとして設定した際に送信される擬似信号の送信電力を設定し、第４判定部５３に出力する。
【００４０】
具体的には、送信される疑似信号の送信電力とし、当該擬似信号が送信される送信アンテナと、受信される受信アンテナとに応じた送信電力値が設定される。この送信電力値は、伝送経路設定部４１が、同じ構成部にあるアンテナを送信アンテナ、受信アンテナとする場合（例えば、ドナー部２０において、ドナーアンテナ２１を送信アンテナ、ドナーアンテナ２６を受信アンテナとする場合）の送信電力値（第１の送信電力値）と、異なる構成部にあるアンテナを送信アンテナと受信アンテナとする場合（例えば、ドナー部２０において、ドナーアンテナ２１を送信アンテナ、サービス部３０のサービスアンテナ３１を受信アンテナとする場合））の送信電力値（第２の送信電力値）とで、異なる値を設定する。なお、擬似信号の送信電力値（第１の送信電力値、第２の送信電力値）は、中継装置１０の設置時に、当該中継装置の設置状況によって設定し、メモリに記憶される。
【００４１】
受信電力取得部４３は、伝送経路設定部４１が、サービス部３０のサービスアンテナ３１，３６の一方を送信アンテナとし、他方を受信アンテナとして設定した際に、受信アンテナで受信された疑似信号の受信電力をその受信アンテナに接続された受信部（受信部３４または受信部３９）から取得し、第１判定部５０に出力する。
【００４２】
受信電力取得部４５は、伝送経路設定部４１が、サービス部３０のサービスアンテナ３１，３６のいずれかを送信アンテナとし、ドナー部２０のドナーアンテナ２１，２６のいずれかを受信アンテナとして設定した際に、受信アンテナで受信された疑似信号の受信電力をその受信アンテナに接続された受信部（受信部２４または受信部２９）から取得し、第２判定部５１に出力する。
【００４３】
受信電力取得部４７は、伝送経路設定部４１が、ドナー部２０のドナーアンテナ２１，２６の一方を送信アンテナとし、他方を受信アンテナとして設定した際に、受信アンテナで受信された疑似信号の受信電力をその受信アンテナに接続された受信部（受信部２４または受信部２９）から取得し、第３判定部５２に出力する。
【００４４】
受信電力取得部４９は、伝送経路設定部４１が、ドナー部３０のドナーアンテナ２１，２６のいずれかを送信アンテナとし、サービス部３０のドナーアンテナ３１，３６のいずれかを受信アンテナとして設定した際に、受信アンテナで受信された疑似信号の受信電力をその受信アンテナに接続された受信部（受信部３４または受信部３９）から取得し、第４判定部５３に出力する。
【００４５】
第１判定部５０は、送信電力制御部４２から取得した送信電力値と、受信電力取得部４３により取得された受信電力とからＲＳＳＩを算出し、算出したＲＳＳＩが第１の閾値以下か否かを判定する。同様に、第３判定部５２は、送信電力制御部４６から取得した送信電力値と、受信電力取得部４７により取得された受信電力とからＲＳＳＩを算出し、算出したＲＳＳＩが第１の閾値以下か否かを判定する。第１判定部５０および第２判定部５２は、判定結果を、状態推定部５４に出力する。
【００４６】
第２判定部５１は、送信電力制御部４４から取得した送信電力値と、受信電力取得部４５により取得された受信電力とからＲＳＳＩを算出し、算出したＲＳＳＩが第２の閾値以下か否かを判定する。同様に、第４判定部５３は、送信電力制御部４８から取得した送信電力値と、受信電力取得部４９により取得された受信電力とからＲＳＳＩを算出し、算出したＲＳＳＩが第２の閾値以下か否かを判定する。第２判定部５１および第４判定部５３は、判定結果を、状態推定部５４に出力する。
【００４７】
状態推定部５４は、第１判定部５０、第２判定部５１、第３判定部５２、および、第４判定部５３よる判定結果に基づいて、ドナー部２０およびサービス部３０のどのブロックに異常が生じているかを推定し、当該推定に応じて、キャリブレーション調整値を修正する。
【００４８】
図３は、第１判定部５０、第２判定部５１、第３判定部５２、および、第４判定部５３による判定結果の一例を表として記載したものである。例えば、図３（Ａ）の表に示すように、ドナー部２０のドナーアンテナ２６を送信アンテナとしたときに、ドナーアンテナ２１でのＲＳＳＩが第１の閾値以下となり、サービスアンテナ３１，３６でのＲＳＳＩがともに第２の閾値以下となった場合、状態推定部５４は、ドナーアンテナ２６の送信系（例えば、送信部３８）に異常があるものとし、ドナーアンテナ２６の送信系に関するキャリ
ブレーション調整値の修正を行う。
【００４９】
また、図３（Ｂ）の表に示すように、ドナー部２０のドナーアンテナ２６を受信アンテナとしたときに、ドナーアンテナ２１から送信された擬似信号のドナーアンテナ２６でのＲＳＳＩが第１の閾値以下となり、サービスアンテナ３１，３６から送信された擬似信号のドナーアンテナ２６でのＲＳＳＩがともに第２の閾値以下となった場合、状態推定部５４は、ドナーアンテナ２６の受信系（例えば、送信部３９）に異常があるものとし、ドナーアンテナ２６の受信系に関するキャリブレーション調整値の修正を行う。
【００５０】
さらに、図３（Ｃ）の表に示すように、ドナー部２０のドナーアンテナ２６を送信アンテナとしたときに、ドナーアンテナ２１でのＲＳＳＩが第１の閾値以下となり、サービスアンテナ３１，３６でのＲＳＳＩがともに第２の閾値以下となり、かつ、ドナー部２０のドナーアンテナ２６を受信アンテナとしたときに、ドナーアンテナ２１から送信された擬似信号のドナーアンテナ２６でのＲＳＳＩが第１の閾値以下となり、サービスアンテナ３１，３６から送信された擬似信号のドナーアンテナ２６でのＲＳＳＩがともに第２の閾値以下となった場合、状態推定部５４は、ドナーアンテナ２６の送信系および受信系に異常があるものとし、ドナーアンテナ２６の送信系および受信系に関するキャリブレーション調整値の修正を行う。そして、キャリブレーション調整値を行っても、異常が継続して生じる場合は、ドナーアンテナ２６に異常があると推定し、アラームを鳴らすなどして、異常を通知する。
【００５１】
次に、中継装置１０のキャリブレーション処理に係る動作を説明する。
【００５２】
図４は、中継装置１０のキャリブレーション処理の一例を示すフロー図である。
【００５３】
図４に示すように、中継装置１０は、まず、予め設定されている、キャリブレーションを実行する時間になると（ステップＳ４１Ｙｅｓに相当）、中継装置１０は、ドナー部２０のドナーアンテナ２１を送信アンテナとして第２の送信電力値にて擬似信号を送信し、サービス部３０のサービスアンテナ３１またはサービスアンテナ３６を受信アンテナとした際のＲＳＳＩを算出するとともに、ドナーアンテナ２６を送信アンテナとして第２の送信電力値にて擬似信号を送信し、サービス部のサービスアンテナ３１またはサービスアンテナ３６を受信アンテナとした際のＲＳＳＩを算出する（ステップＳ４２）。
【００５４】
中継装置１０は、ドナー部２０のドナーアンテナ２１を送信アンテナとして第１の送信電力値にて擬似信号を送信し、ドナーアンテナ２６を受信アンテナとした際のＲＳＳＩを算出するとともに、ドナーアンテナ２６を送信アンテナとして第１の送信電力値にて擬似信号を送信し、ドナーアンテナ２１を受信アンテナとした際のＲＳＳＩを算出する（ステップＳ４３）。
【００５５】
中継装置１０は、サービス部３０のサービスアンテナ３１を送信アンテナとして第２の送信電力値にて擬似信号を送信し、ドナーアンテナ２１またはドナーアンテナ２６を受信アンテナとした際のＲＳＳＩを算出するとともに、サービスアンテナ３６を送信アンテナとして第２の送信電力値にて擬似信号を送信し、ドナー部２０のドナーアンテナ２１またはドナーアンテナ２６を受信アンテナとした際のＲＳＳＩを算出する（ステップＳ４４）。
【００５６】
中継装置１０は、サービス部３０のサービスアンテナ３１を送信アンテナとして第１の送信電力値にて擬似信号を送信し、サービスアンテナ３６を受信アンテナとした際のＲＳＳＩを算出するとともに、サービスアンテナ３６を送信アンテナとして第１の送信電力値にて擬似信号を送信し、サービスアンテナ３１を受信アンテナとした際のＲＳＳＩを算出する（ステップＳ４５）。
【００５７】
ステップＳ４２およびステップＳ４４で算出されたＲＳＳＩが第１の閾値以下となるか判定するとともに、ステップＳ４３およびステップＳ４５で算出されたＲＳＳＩが第２の閾値以下となるか判定する（ステップＳ４６）。
【００５８】
ステップＳ４６における判定の結果、第１の閾値、または、第２の閾値以下となるＲＳＳＩがない場合（ステップＳ４６Ｙｅｓに相当）、処理を終了する。
【００５９】
ステップＳ４６における判定の結果、第１の閾値、または、第２の閾値以下となるＲＳＳＩがある場合（ステップＳ４６Ｎｏに相当）、異常が生じている可能性のある箇所を推定し（ステップＳ４７）、キャリブレーション調整値の修正を行う（ステップＳ４８）。キャリブレーション調整値の修正が可能な場合（ステップＳ４９Ｙｅｓに相当）には、ステップＳ４２に移行し、修正結果が適切か否か再度判定を行う。一方、キャリブレーション調整値の修正を行うことができない場合（ステップＳ４９Ｎｏに相当）、例えば、アンテナ自体に異常があるものとし、アラーム等により通知を行い、処理を終了する（ステップＳ５０）。
【００６０】
なお、本発明は、上記実施形態に限定されるものではない。
【００６１】
たとえば、上記実施形態では、ドナー部２０の制御部２５およびサービス部３０の制御部３５の双方がキャリブレーション部４０を構成する例を示したが、キャリブレーション部４０は、制御部２５および制御部３５のいずれで構成してもよいし、中継装置１０に接続される外部装置内に実装されてもよい。
【００６２】
もちろん、本発明は、基地局と移動局との間の通信を中継する中継装置に限らず、対第１通信装置用のアンテナと対第２通信装置用のアンテナとを備え、第１通信装置と第２通信装置との間の通信を中継する中継装置全般に広く適用可能である。
【符号の説明】
【００６３】
１０  中継装置、２０  ドナー部、２１，２６  ドナーアンテナ、２２，２７，３２，３７  スイッチ、２３，２８，３３，８３  送信部、２４，２９，３４，３９  受信部、２５，３５  制御部、３０  サービス部、３１，３６  サービスアンテナ、４０  キャリブレーション部、４１  伝送経路設定部、４２，４４，４６，４８  送信電力制御部、４３，４５，４７，４９  受信電力取得部、５０  第１判定部、５１  第２判定部、５２  第３判定部、５３  第４判定部、５４  状態推定部。
【図１】
2012074877.tif 000003
【図２】
2012074877.tif 000004
【図３】
2012074877.tif 000005
【図４】
2012074877.tif 000006
【図５】
2012074877.tif 000007
【図６】
2012074877.tif 000008
【図７】
2012074877.tif 000009